(57)【特許請求の範囲】
【請求項１】
流路に流れる流体の流量を所定の時間間隔で計測する流量計測部と、
前記流量計測部によって計測された流量の前記所定の時間間隔毎の差分値を演算する差分演算部と、
差分値に応じたコードを複数記憶する保持部と、
前記所定の時間間隔毎の差分値を対応する前記コードにそれぞれ変換し、計測コード列を生成するコード列生成部と、
前記計測コード列に基づいて前記流体の安定領域を判別し、前記安定領域の流量値からの流量変化量に応じて、前記流路の下流に接続された器具の動作を判別する器具判別部とを備え、
前記保持部は、
前記複数のコードによって差分値が区分された第１のテーブルと、
前記第１のテーブルとは対応する差分値が一部異なる複数のコードによって区分された第２のテーブルを有し、
前記器具判別部は、前記第１および第２のテーブルから生成した計測コード列を用いて流量の安定領域を判別する流量計測装置。
【請求項２】
請求項１に記載の流量計測装置であって、
前記器具判別部は、前記安定領域の平均流量値からの流量変化量に応じて、前記器具の動作を判別する流量計測装置。
【請求項３】
請求項２に記載の流量計測装置であって、
前記器具判別部は、前記安定領域における流量変化の開始点、中間点、終了点のうちの少なくとも一つの特定点を判別し、前記流量変化量を算出する流量計測装置。
【請求項４】
請求項２に記載の流量計測装置であって、
前記器具判別部は、前記平均流量値の算出に、前記安定領域における流量の移動平均を用いる流量計測装置。
【請求項５】
請求項２に記載の流量計測装置であって、
前記器具判別部は、前記平均流量値の算出に、前記安定領域全体における流量の平均を用いる流量計測装置。
【請求項６】
請求項１に記載の流量計測装置であって、
前記器具判別部は、前記第１のテーブルによる計測コード列において安定領域が検出されない場合に、前記第１のテーブルよりも安定領域の範囲が大きい前記第２のテーブルによる計測コード列を用いて安定領域を検出する流量計測装置。
【請求項７】
請求項１に記載の流量計測装置であって、
前記器具判別部は、流量が安定状態から増加または減少状態を経て安定状態になることを判別することにより、器具の複合的な動作を判別する流量計測装置。
【請求項８】
請求項３に記載の流量計測装置であって、
前記器具判別部は、器具の複合的な動作を判別する際に、前記特定点の情報を用いて、器具起動時の起動事象、器具停止時の停止事象、器具の動作制御による制御増加事象または制御減少事象のうちの少なくとも一つの事象を判別する流量計測装置。
【請求項９】
流路に流れる流体の流量を所定の時間間隔で計測する流量計測部と、
前記流量計測部によって計測された流量の前記所定の時間間隔毎の差分値を演算する差分演算部と、
差分値の大きさに応じた複数の差分値の区分と、前記複数の差分値の区分にそれぞれ対応するコードを複数記憶する保持部と、
前記所定の時間間隔毎の差分値を対応する前記コードにそれぞれ変換し、計測コード列を生成するコード列生成部と、
前記計測コード列に基づいて前記流体の安定領域を判別し、前記安定領域の流量値からの流量変化量に応じて、前記流路の下流に接続された器具の動作を判別する器具判別部とを備え、
前記複数の差分値の区分は、差分値が小さいほど区分の流量間隔が小さい流量計測装置。
【請求項１０】
請求項９に記載の流量計測装置であって、
前記器具判別部は、前記安定領域の平均流量値からの流量変化量に応じて、前記器具の動作を判別する流量計測装置。
【請求項１１】
請求項１０に記載の流量計測装置であって、
前記器具判別部は、前記安定領域における流量変化の開始点、中間点、終了点のうちの少なくとも一つの特定点を判別し、前記流量変化量を算出する流量計測装置。
【請求項１２】
請求項１０に記載の流量計測装置であって、
前記器具判別部は、前記平均流量値の算出に、前記安定領域における流量の移動平均を用いる流量計測装置。
【請求項１３】
請求項１０に記載の流量計測装置であって、
前記器具判別部は、前記平均流量値の算出に、前記安定領域全体における流量の平均を用いる流量計測装置。
【請求項１４】
請求項９に記載の流量計測装置であって、
前記器具判別部は、前記第１のテーブルによる計測コード列において安定領域が検出されない場合に、前記第１のテーブルよりも安定領域の範囲が大きい前記第２のテーブルによる計測コード列を用いて安定領域を検出する流量計測装置。
【請求項１５】
請求項９に記載の流量計測装置であって、
前記器具判別部は、流量が安定状態から増加または減少状態を経て安定状態になることを判別することにより、器具の複合的な動作を判別する流量計測装置。
【請求項１６】
請求項１１に記載の流量計測装置であって、
前記器具判別部は、器具の複合的な動作を判別する際に、前記特定点の情報を用いて、器具起動時の起動事象、器具停止時の停止事象、器具の動作制御による制御増加事象または制御減少事象のうちの少なくとも一つの事象を判別する流量計測装置。
【発明の詳細な説明】
【技術分野】
【０００１】
本発明は、流体の流量の変化を捉えることにより、流体を使用している器具を判別する流量計測装置及び流量計測方法に関する。
【背景技術】
【０００２】
従来、ガスメータ装置を有する流体配管系において使用器具を特定するガスメータ装置として、特許文献１に記載のものがある。本文献のガスメータ装置１は、図１２に示すように、家庭用ガス供給管に接続された流路６中に配置され、ガス流量を一定時間間隔で計測する流量計測手段３と流量計測手段３から出力される流量値の差分値を求める演算手段４と演算手段４により算出された差分値と記憶手段５内に登録された変化判定値との大きさを比較し、ガス器具の使用状態の変化を判定する比較判定手段７を有する構成である。演算手段４、比較判定手段７、ガス遮断弁２は、制御回路８によって制御されている。
【０００３】
上記ガスメータ装置１においては、流量計測手段３から出力される瞬時流量の差分値の変化を逐次演算し、その変化量でもってガス器具の使用状態の変化を判定するものであり、登録されたデータと計測されたガス流量の変化（差分値）を比較し、使用ガス器具１３，１４，１５の判別を可能とする。
【特許文献１】特開２００６−３１３１１４号公報
【発明の開示】
【発明が解決しようとする課題】
【０００４】
上記の構成においては、差分値をそのまま使用しているため、基本的に時間軸上局所的なものとなるため、器具判別の精度が十分なものとは言い難く、長時間に渡り計測した流量値を基に全体的に判断しようとすると、ガス器具の判別に時間がかかるとともに、必要メモリ量などが膨大なものとなる。また、複数の器具が複合的に運転している場合に、それぞれの器具を判別することは困難であった。
【０００５】
本発明は、上記事情に鑑みてなされたもので、流量に関する演算の簡略化及び器具判別精度の向上を図るとともに、複数器具の運転時においても使用器具を精度良く判別することが可能な流量計測装置及び流量計測方法を提供することを目的とする。
【課題を解決するための手段】
【０００６】
本発明は、流路に流れる流体の流量を所定の時間間隔で計測する流量計測部と、前記流量計測部によって計測された流量の前記所定の時間間隔毎の差分値を演算する差分演算部と、差分値に応じたコードを複数記憶する保持部と、前記所定の時間間隔毎の差分値を対応する前記コードにそれぞれ変換し、計測コード列を生成するコード列生成部と、前記計測コード列に基づいて前記流体の安定領域を判別し、前記安定領域の流量値からの流量変化量に応じて、前記流路の下流に接続された器具の動作を判別する器具判別部とを備え、前記保持部は、前記複数のコードによって差分値が区分された第１のテーブルと、前記第１のテーブルとは対応する差分値が一部異なる複数のコードによって区分された第２のテーブルを有し、前記器具判別部は、前記第１および第２のテーブルから生成した計測コード列を用いて流量の安定領域を判別する流量計測装置を提供する。
これにより、計測された流量から求めた計測コード列に基づいて、複数の器具が起動した場合などの動作を判別することができる。したがって、流量に関する演算の簡略化及び器具判別精度の向上を図るとともに、複数器具の運転時においても使用器具を精度良く判別することが可能となる。
【０００７】
また、本発明は、上記の流量計測装置であって、前記器具判別部は、前記安定領域の平均流量値からの流量変化量に応じて、前記器具の動作を判別するものを含む。
これにより、安定領域の平均流量値からの流量変化量に応じて、器具の動作を精度良く判別できる。
【０００８】
また、本発明は、上記の流量計測装置であって、前記器具判別部は、前記安定領域における流量変化の開始点、中間点、終了点のうちの少なくとも一つの特定点を判別し、前記流量変化量を算出するものを含む。
これにより、安定領域における特定点を判別し、この特定点に関する流量変動特性によって流体を使用する器具の動作を判別することが可能となる。また、安定領域における流量変化の終了点、中間点、開始点などを特定点として判別し、これらの特定点に対する増加または減少等の流量変動特性によって器具の起動や停止などを判別できる。また、器具の複合動作時の起動判別や器具判別等が可能である。
【０００９】
また、本発明は、上記の流量計測装置であって、前記器具判別部は、前記平均流量値の算出に、前記安定領域における流量の移動平均を用いるものを含む。
これにより、例えば非安定系の器具の動作時に流量値が漸次変化している場合などにおいて、安定領域における流量の移動平均によって平均流量値を的確に算出することができる。
【００１０】
また、本発明は、上記の流量計測装置であって、前記器具判別部は、前記平均流量値の算出に、前記安定領域全体における流量の平均を用いるものを含む。
これにより、例えば安定系の器具の動作時などにおいて、安定領域全体における流量の平均によって平均流量値を的確に算出することができる。
【００１２】
また、本発明は、上記の流量計測装置であって、前記器具判別部は、前記第１のテーブルによる計測コード列において安定領域が検出されない場合に、前記第１のテーブルよりも安定領域の範囲が大きい前記第２のテーブルによる計測コード列を用いて安定領域を検出するものを含む。
これにより、複数のテーブルによる計測コード列を用いることで、例えば流量変動が比較的大きい非安定系の器具の動作時などにおいても、安定領域を検出することが可能である。また、流量変動が比較的大きい非安定系の器具の動作時などにおいても、第２のテーブルによる計測コード列を用いて安定領域を検出でき、この安定領域の流量変動特性によって器具の動作を判別することができる。
【００１３】
また、本発明は、上記の流量計測装置であって、前記器具判別部は、流量が安定状態から増加または減少状態を経て安定状態になることを判別することにより、器具の複合的な動作を判別するものを含む。
これにより、“流量の安定状態”→“増加または減少状態”→“安定状態”を判別することで、複数器具の立上がりなどの複合的な動作が判別可能となる。
【００１４】
また、本発明は、上記の流量計測装置であって、前記器具判別部は、器具の複合的な動作を判別する際に、前記特定点の情報を用いて、器具起動時の起動事象、器具停止時の停止事象、器具の動作制御による制御増加事象または制御減少事象のうちの少なくとも一つの事象を判別するものを含む。
これにより、流量の安定状態からの起動事象、停止事象、制御増加事象または制御減少事象を判別することで、的確に器具の複合的な動作を判別することができる。
【００１５】
本発明は、流路に流れる流体の流量を所定の時間間隔で計測する流量計測部と、前記流量計測部によって計測された流量の前記所定の時間間隔毎の差分値を演算する差分演算部と、差分値の大きさに応じた複数の差分値の区分と、前記複数の差分値の区分にそれぞれ対応するコードを複数記憶する保持部と、前記所定の時間間隔毎の差分値を対応する前記コードにそれぞれ変換し、計測コード列を生成するコード列生成部と、前記計測コード列に基づいて前記流体の安定領域を判別し、前記安定領域の流量値からの流量変化量に応じて、前記流路の下流に接続された器具の動作を判別する器具判別部とを備え、前記複数の差分値の区分は、差分値が小さいほど区分の流量間隔が小さい流量計測装置を提供する。
【発明の効果】
【００１８】
本発明によれば、流量に関する演算の簡略化及び器具判別精度の向上を図るとともに、複数器具の運転時においても使用器具を精度良く判別することが可能な流量計測装置及び流量計測方法を提供できる。
【発明を実施するための最良の形態】
【００１９】
（全体構成）
図１は、本発明の実施形態に係る流量計測装置の構成を示すブロック図である。本実施形態では、ガスの流体供給システムにおいて、ユーザの家屋等に設置されるガスメータを用いた流量計測装置の構成例を示す。
【００２０】
本実施形態の流量計測装置としてのガスメータ１００は、超音波流量計１０１、流量情報記憶部１０２、差分演算部１０３、差分値変換部１０４、コード列生成部１０５、器具判別部１０６、器具別特性情報保持部１０７、処理部１０８、遮断弁１０９、流量区分表保持部１１０を有して構成される。
【００２１】
ガスメータ１００は、ユーザの家屋等に敷設されたガス供給管２０の途中に設けられ、このガス供給管２０の下流側の配管には複数のガス器具として器具Ａ２１、器具Ｂ２２、器具Ｃ２３が接続されている。ガス器具としては、ガステーブル、ファンヒータ、床暖房等、種々の器具が用いられる。このガスメータ１００は、屋外または屋内の所定位置に設置される。なお、接続されるガス器具の数は図示例に限るものではなく、任意である。また、ユーザ宅としては、一般住宅の家屋だけでなく、共同住宅、店舗、工場、その他の各種施設を含むものとする。
【００２２】
超音波流量計１０１は、ガス供給管２０の経路中に接続され、流路に流れる流体としてのガスに対し、一定時間間隔（例えば２秒など）で超音波を発射して超音波信号から流量を計測するものであり、一般的なものを使用することができる。流量情報記憶部１０２は、超音波流量計１０１で計測された計測流量値と、当該計測流量値を計測した計測時間が対応付けられて記述された流量特性値とを含む流量情報を記憶する。流量特性値としては、単位時間毎の流量差分値などから得られる流量変化の特徴を示す流量パターン、絶対流量値、流量の継続時間や変化時間などの時間情報などが含まれる。これらの超音波流量計１０１及び流量情報記憶部１０２が流量計測部の機能を実現する。
【００２３】
差分演算部１０３は、超音波流量計１０１によって計測されたガスの流量の、前述した超音波発射間隔に相当する一定時間毎の差分値を演算するものである。例えば後述する図３において、時間４の流量（絶対流量）が１２８Ｌ／ｈ（リットル毎時）であり、次の次のタイミングでの流量が２６２Ｌ／ｈである場合、このときの差分値は２６２−１２８＝１３４（Ｌ／ｈ）として演算される。ここで差分値の演算は、次のタイミング（２６２Ｌ／ｈの流量の次の流量）の流量で行ってもよい。
【００２４】
流量区分表保持部１１０は、図２に示すような、流量の差分値の大きさに応じた複数の差分値の区分と、各区分を表すコードとが対応付けられた流量区分表１１０ａを記憶し保持するものである。図２において、例えば差分流量が５０Ｌ／ｈである場合は、６０Ｌ／ｈ以下でかつ２０Ｌ／ｈを超える範囲に該当し、対応するコードＮ１は「４」で、コードＮ２は「１」である。流量区分表１１０ａは、計測された差分値を所定の区分に区分けし、当該区分を表す所定のコードに変換する変換テーブルの役割を果たす。流量区分表１１０ａの区分の数は特に限定されないが、図２では、１６（コードＮ１）と４（コードＮ２）の２種類が用意されている。すなわち、ガスメータ１００は、区分の数が０〜Ｆの１６である流量区分表と、区分の数が０〜３の４である流量区分表を適宜切り替えて使用することができる。
【００２５】
図２に示すように流量区分表において、それぞれコードＮ１、コードＮ２で表される２種類の区分が用意されている。コードＮ１は、流量区分表の区分が、差分流量に応じて１６個に区分され、各区分に対して０〜Ｆのコードが割り当てられている。このコードＮ１は、それぞれ４ビットで表現することができる。また、コードＮ２は、流量がゼロと判断する領域（停止領域）、流量が増加していると判断する領域（増加領域）、流量が減少していると判断する領域（減少領域）、流量が安定していると判断する領域（安定領域）の４事象で区分けされ、それぞれの領域の区分に対して０，１，２，３のコードが対応付けられている。このコードＮ２は、それぞれ２ビットで表現することができる。すなわち、０は"００"，１は"０１"、２は"１０"、３は"１１"で表現することができる。このように、区分を従来の差分値ではなく、コードを用いて表すことにより、マイコンプログラムとのより良い親和性が確保され、少ないメモリサイズと演算量で判断指標を提供することができる。
【００２６】
なお、本例では、流量がゼロと判断される領域を挙げたが、実際の装置では実際に計測される流量が、多少のばらつきを有するため完全にゼロとなることはあまりない。したがって、流量がゼロとなるのはほぼゼロ、実質的にゼロとなったときをも含む。
【００２７】
また、コードＮ１においては、各領域が異なる流量間隔を有して細分化されている。例えば増加領域においては、差分流量の小さい方が間隔が小さくなっている。例えば、コード"６"の領域では、差分流量の幅が５００−３５０＝１５０Ｌ／ｈであるが、コード"４"の領域では、６０−２０＝４０Ｌ／ｈ、コード"３"の領域では２０−５＝１５Ｌ／ｈとなっている。このような構成は、差分流量の小さい領域ではこの差分流量に該当する器具の種類が多いため、判別精度を上げるために間隔を小さくしておく必要から採用されている。
【００２８】
差分値変換部１０４は、差分演算部１０３によって演算された差分値を、流量区分表１１０ａに基づき、（超音波発射の）一定時間毎の差分値が分類される区分を表す区分コードに変換する。コード列生成部１０５は、差分値変換部１０４によって得られた一定時間毎の区分コードの集合に基づき、実際の計測により得られた流量を変換したコードの列である計測コード列を生成する。この計測コード列は、流体の流量変化を擬似的に表現するものである。コード列生成部１０５は、生成された計測コード列を必要に応じて図示せぬメモリに記憶する。
【００２９】
器具判別部１０６は、コード列生成部１０５によって生成された計測コード列に基づき、流体としてのガスを使用しているガス器具を判別する。器具別特性情報保持部１０７は、器具判別を行うための各ガス器具に固有のコード列を示す器具固有コード列を含む特性情報を器具ごとに保持する。器具判別部１０６は、計測コード列と、予めガス器具ごとに器具別特性情報保持部１０７に記憶された器具固有コード列とを比較し、その類似関係等からガスを使用するガス器具を判別する。
【００３０】
処理部１０８は、計測コード列に基づく流量情報の解析処理、前記器具の判別結果や流量解析結果に応じた保安処理や料金算出処理、情報の入出力処理、各部の動作制御など、各種処理を行うものである。ここで、差分演算部１０３、差分値変換部１０４、コード列生成部１０５、器具判別部１０６、処理部１０８は、マイクロコンピュータ（マイコン）等を構成するプロセッサ及び動作プログラムにより構成され、プロセッサにおいて所定の動作プログラムを実行して対応する処理を行うことにより、各機能が実現される。また、流量情報記憶部１０２、器具別特性情報保持部１０７、流量区分表保持部１１０は、ＲＡＭ等のメモリにより構成される。
【００３１】
次に、本実施形態の流量計測装置における動作を説明する。ガスメータ１００では、まず、超音波流量計１０１で流量を計測し、一定時間間隔ごとの時系列の計測流量値を得て、流量情報記憶部１０２に記憶する。そして、差分演算部１０３において各計測流量値の差分値を算出し、差分値変換部１０４において流量区分表１１０ａを用いて差分値を区分化した区分コードに変換する。その後、コード列生成部１０５において、変換された区分コードの集合から計測コード列を生成する。次いで、器具判別部１０６において、生成された計測コード列に基づき、流量を変換したコード列のパターンから使用しているガス器具を判別する。
【００３２】
本実施形態では、複数のガス器具が複合的に使用されて運転している場合に、それぞれのガス器具を判別可能とした動作例を示す。複合運転時におけるそれぞれのガス器具の判別は、器具判別部１０６において、計測コード列の“安定領域”→“増加または減少領域”→“安定領域”を検出し、すなわち流量の“安定状態”から“増加または減少状態”を経て“安定状態”を判別して、この安定状態を利用して複数の起動事象を判別することによって行う。なお、複数の停止事象を判別することによっても同様に複数の器具をそれぞれ判別することが可能である。
【００３３】
（第１の実施形態）
第１の実施形態として、動作中の流量が安定している安定系の器具が起動した後にその他の器具が起動した場合の動作例を示す。この第１の実施形態は、図２に示した流量区分表を用いて処理を行う例である。ここでは、安定系の第１の器具Ａが起動して動作している状態で、さらに他の安定系の第２の器具Ｂが起動した場合の複合動作を例示する。
【００３４】
ガスメータ１００において、まず、超音波流量計１０１によって一定時間間隔（例えば２秒など）をおいて計測される流量（絶対流量）Ｑ（ｎ）が、流量情報記憶部１０２に一旦記憶される。流量情報記憶部１０２には、時系列に流量Ｑ（ｎ−２）、Ｑ（ｎ−１）、Ｑ（ｎ）、…が記憶されることになる。その後、差分演算部１０３により、今回計測された流量Ｑ（ｎ）と前々回計測された流量Ｑ（ｎ−２）との差である差分値ΔＱ（ｎ）＝Ｑ（ｎ）−Ｑ（ｎ−２）を演算する（このとき、差分流量の間隔は４秒となる）。ここで差分流量の求め方としては、間隔を２秒や６秒にしてもよい。
【００３５】
差分値変換部１０４は、差分演算部１０３によって演算された差分値ΔＱ（ｎ）を、図２の流量区分表１１０ａを参照し、一定時間毎の差分値が分類される区分を表すコードである区分コード（コードＮ１の４ビットコードまたはコードＮ２の２ビットコード）に変換する。ここで、区分コードとしてコードＮ１またはコードＮ２のいずれを用いるかは自由に選択が可能である。以下では、４区分のコードＮ２を用いて処理を行う例を示す。
【００３６】
図３は第１の実施形態における流量のコード変換の一例を示す図、図４は図３の場合に対応する第１の実施形態における流量波形のグラフの一例を示す図である。この図３及び図４は、動作中の流量の変動が比較的小さく安定している安定系の器具Ａ（例えば、ガステーブル）が起動した後に、器具Ａと同様に動作中の流量の変動が比較的小さく安定している安定系の器具Ｂ（例えば、ファンヒータ）が起動した場合の流量データを示したものである。ここでは、過去の器具判別結果または今回の器具判別処理によって、器具Ａの種別が判っているものとして、器具Ｂの種別が何であるかを判別する。この器具Ｂを判別するための判別情報として、器具Ａが安定動作している状態から器具Ｂが立上がって安定するまでの流量変化量ΔＱを求め、ΔＱの値によって器具Ｂの起動等の事象の判別、及び器具Ｂの器具判別を行う。
【００３７】
図３には、器具Ａと器具Ｂの複合動作時における「流量値」とともに、流量の「差分値」（ここでは４秒差分値）、及びこの流量差分値から変換される区分コードとして１６区分の「コードＮ１」、４区分の「コードＮ２」が示されている。コードＮ１、コードＮ２は、図２に示した流量差分値の大小に応じてそれぞれ対応付けられて区分された流量区分表を用いて、図４の流量変化をコード化することにより、流量差分値に対応する区分コードとして生成される。また、コードＮ２が「３」となる安定領域における流量値を平均化した「平均流量」が示されている。なお、図３において、「時間」は一定間隔（ここでは２秒）毎のタイミングを時系列に番号によって表すものである。
【００３８】
器具が起動してガス流量が発生すると、超音波流量計１０１で計測される流量は、図３の流量値、図４のグラフで示されるように、流量Ｑ（ｎ）＝０から流量Ｑ（ｎ）≠０となり、器具によるガス使用量に応じて流量が変化する。このとき、超音波流量計１０１による流量の計測と同時に、差分演算部１０３によって差分値が演算され、差分値変換部１０４によって１６区分のコードＮ１、４区分のコードＮ２への変換が行われる。そして、コード列生成部１０５により、変換の結果得られた区分コードから、図３に示すコードＮ１、コードＮ２の時系列の集合に相当する計測コード列が生成される。このような一定時間毎のコードの集合である実際の計測により得られた計測コード列は、ガスの流量変化を擬似的に表現するものである。コード列生成部１０５は、得られた計測コード列を必要に応じて図示しないメモリに記録する。
【００３９】
上記のコードＮ１、コードＮ２による区分コードから得られる計測コード列は、図３の流量値や図４のグラフのように、流量そのものを表現するものではない。しかしながら、このようなコード列は、ガス流量の変化を概ね表現しており、例えばコードＮ２の場合、流量がゼロと判断する領域（停止領域）、流量が増加していると判断する領域（増加領域）、流量が減少していると判断する領域（減少領域）、流量が安定していると判断する領域（安定領域）の４事象を擬似的に表している。したがって、計測コード列を用いることによって、おおよその流量の挙動変化を把握することが可能となる。
【００４０】
上述した計測コード列は、従来技術の差分値からなる履歴に比べ、メモリサイズは小さいものとなるため、大変扱いやすいものとなる。したがって、ガスメータなどの装置による各種演算処理が容易となるとともに、装置内もしくはその他の個所に設けられる必要メモリ量を減らすことができる。また、本発明の計測コード列は、従来技術の差分値からなる履歴に比べ、同じ計測時間分のデータであってもメモリサイズは小さいものとなるため、より長い計測時間のデータを扱うことが容易となる。また、このような計測コード列がガス器具毎に固有のものである場合、ガスを使用しているガス器具を判別することが可能となる。
【００４１】
図３及び図４の流量例において、まず器具Ａ（例えば、ガステーブル）が、時間４のタイミングから起動し、時間７のタイミング以降で流量の差分値の変動が小さく安定した状態（４秒差分値が±５Ｌ／ｈ以内に収まっている）となっている。続いて、他の器具Ｂが時間１６のタイミングで起動し、時間１９のタイミング以降で流量の差分値の変動が小さく安定した状態を継続して、時間３１のタイミングで停止している。その後、器具Ａが時間４３のタイミングで停止している。
【００４２】
図４のグラフにおいて、Ａ１、Ｂ、Ａ２の部分は流量が一定のように見えるが、これは流量軸のスケールが圧縮されているためであり、実際の流量は図３の流量値に見られるように変動している（Ａ１：時間７〜１５、Ｂ：時間１９〜３０、Ａ２：時間３４〜４２）。器具判別等を行うためには、このような流量値の変動を何らかの方法で定量化することが必要となる。
【００４３】
図３に示したコードＮ１、コードＮ２において、コードＮ１ではしきい値を細分化しすぎているため、流量変動に伴う計測コード列の変化が激しく、安定領域を見分けにくい。これに対し、コードＮ２のように粗いしきい値でコード化したものでは、安定領域（「３」の状態）が浮かび上がってくる。ここでは、図３のコードＮ２において、「０」は停止領域、「１」は増加領域、「２」は減少領域、「３」は安定領域と定義する。そして、本実施形態では、器具判別部１０６において、安定領域の流量値を平均化し、その平均流量の値を用いて安定状態における開始点、中間点、終了点（流量変動の開始点や終了点）などの特定点を判別し、流量変化量ΔＱを求める。その後、流量変化量ΔＱによって、器具の起動や停止等の事象の判別、及び器具種別の判別を行う。上記の平均流量等の流量値の算出、及び起動事象等の事象の判別を行う過程を判り易く説明するため、図４の流量グラフを模式的に表現したものが図５である。
【００４４】
図５は第１の実施形態における起動事象及び停止事象の判別手順を説明する図である。まず、起動事象の判定について説明する。器具判別部１０６は、始めに、安定領域ａ１部（図４のＡ１に対応）の流量平均値（例えば安定領域ａ１全体の流量値の平均）を算出し、この流量平均値を用いて、安定領域ａ１の終点、すなわち流量変化の開始点における流量値として、開始流量Ｑｓ１を定めて記憶する。また、安定領域ｂ部（図４のＢに対応）の流量平均値（例えば安定領域ｂ全体の流量値の平均）を算出し、この流量平均値を用いて、安定領域ｂの始点、すなわち流量変化の終了点における流量値として、終了流量Ｑｅ１を定めて記憶する。
【００４５】
そして、記憶した開始流量Ｑｓ１と終了流量Ｑｅ１から、増加流量ΔＱｕｐをΔＱｕｐ＝Ｑｅ１−Ｑｓ１の式より算出する。この演算を図３及び図４の場合に適用すると、Ａ１部分（図５の安定領域ａ１部）とＢ部分（図５の安定領域ｂ部）の流量平均値はそれぞれ図３における平均流量として示したものとなる。よって、この場合の増加流量ΔＱｕｐは、ΔＱｕｐ＝５８０−２６１＝３１９Ｌ／ｈとなる。
【００４６】
器具判別部１０６は、器具別特性情報保持部１０７に記憶された各ガス器具に固有の特性情報を参照し、増加流量ΔＱｕｐの値に基づいて起動事象の検出及び器具判別を行う。この場合、増加流量ΔＱｕｐの値３１９Ｌ／ｈに対応する立上がり流量を調べて、この値が立上がり流量となる器具が、器具Ｂであると特定できるため、この増加流量ΔＱｕｐによって器具Ｂの起動事象であることを判別できる。
【００４７】
次に、停止事象の判定について図５により説明する。器具判別部１０６は、始めに、安定領域ｂ部（図４のＢに対応）の流量平均値を用いて、安定領域ｂの終点、すなわち流量変化の開始点における流量値として、開始流量Ｑｓ２を定めて記憶する。また、安定領域ａ２部（図４のＡ２に対応）の流量平均値（例えば安定領域ａ２全体の流量値の平均）を算出し、この流量平均値を用いて、安定領域ａ２の始点、すなわち流量変化の終了点における流量値として、終了流量Ｑｅ２を定めて記憶する。
【００４８】
そして、記憶した開始流量Ｑｓ２と終了流量Ｑｅ２から、減少流量ΔＱｄｎをΔＱｄｎ＝Ｑｓ２−Ｑｅ２の式より算出する。この演算を図３及び図４の場合に適用すると、Ｂ部分（図５の安定領域ｂ部）とＡ２部分（図５の安定領域ａ２部）との流量平均値はそれぞれ図３における平均流量として示したものとなる。よって、この場合の減少流量ΔＱｄｎは、ΔＱｄｎ＝５８０−２６２＝３１８Ｌ／ｈとなる。
【００４９】
器具判別部１０６は、器具別特性情報保持部１０７に記憶された各ガス器具に固有の特性情報を参照し、減少流量ΔＱｄｎの値に基づいて停止事象の検出及び器具判別を行う。この場合、減少流量ΔＱｄｎの値３１８Ｌ／ｈに対応する立下がり流量を調べて、この値が立下がり流量となる器具が、器具Ｂであると特定できるため、この減少流量ΔＱｄｎによって器具Ｂの停止事象であることを判別できる。
【００５０】
上述したように、安定状態を計測コード列によって判別し、安定領域に対しての流量の平均化処理を行うことにより、複合動作した場合の２台目の器具を特定したり、その動作を判別するための判別情報を得ることができる。
【００５１】
また、以下に本実施形態の計測コード列を適用した複合動作時の判別処理の応用例をいくつか示す。
【００５２】
器具判別部１０６において、安定領域「３」の区分コード発生による安定状態の判断は、安定領域「３」のコード１桁で判断する方法もあるが、瞬時的なノイズ等による誤検出を防止し、より安定している状態を検出するためには、例えば２回連続したときの「３３」で判断する（２桁のコードで判断する）など、Ｍ回の連続時のＭ桁のコードによって判断を行えばよい。これにより、安定領域の判別精度を向上できる。また、このような安定領域の判断条件を用いることによって、例えば安定を判断する継続時間を計測するための専用のタイマ等を設けなくとも、容易に実現することができる。
【００５３】
また、流量変化時の事象としては、起動事象や停止事象の他に、動作制御による流量の増減に対応する制御増加事象や制御減少事象などもある。このような制御増加事象や制御減少事象の判別処理手順を以下に示す。
【００５４】
図３において、器具起動時の起動事象や器具停止時の停止事象が発生しているときのコードＮ２に注目すると、計測コード列は下記のようになっている。
器具Ａの起動：００１１１３３
器具Ｂの起動：３３１１１３３
器具Ｂの停止：３３２２２３３
器具Ａの停止：３３２２２００
すなわち、起動事象では、コードＮ２において停止領域「０」または安定領域「３」から増加領域「１」になって、再び安定領域「３」になっていることがわかる。また、停止事象では、コードＮ２において安定領域「３」から減少領域「２」になって、再び安定領域「３」または停止領域「０」になっていることがわかる。
【００５５】
したがって、器具判別部１０６では、コードＮ２において、停止領域「０」または安定領域「３」の状態を監視して、その後「０以外」または「３以外」（増加領域「１」または減少領域「２」など）に変化する変化点を検出し、コードＮ２が、再度安定領域「３」または停止領域「０」になるところを検出することによって、何らかの器具が起動、停止、動作制御（増減）したことを容易に検出することができる。
【００５６】
ここで、“安定領域”→“増加領域”と推移する事象としては、器具起動時の起動事象の他に、器具の動作制御による流量増加時の制御増加事象も考えられる。また、“安定領域”→“減少領域”と推移する事象としては、器具停止時の停止事象の他に、器具の動作制御による流量減少時の制御減少事象も考えられる。したがって、起動事象または制御増加事象の場合、コードＮ２において、「０」または「３」から「０以外」または「３以外」である「１」（ノイズ的に「２」を含むこともあり得る）になり、再度「３」になった時点までの計測コード列によって判別できる。また、停止事象または制御減少事象の場合、コードＮ２において、「３」から「３以外」である「２」（ノイズ的に「１」を含むこともあり得る）になり、再度「３」または「０」になった時点までの計測コード列によって判別できる。
【００５７】
まず、本実施形態における起動事象と制御増加事象の判別手順について説明する。一般的に、器具の起動時の増加流量は動作制御による増加流量よりも大きいため、起動事象と制御増加事象とを区別するためのしきい値Ｑｓｓ１を設けて２つの事象を判別する。
【００５８】
器具判別部１０６は、コードＮ２が「３」である期間の流量の計測データ（絶対値）の平均（平均流量）を算出する。そして、上記の起動事象の判定と同様に、起動事象または制御増加事象の開始点の平均値を開始流量Ｑｓ１として定め、起動事象または制御増加事象の終了点の平均値を終了流量Ｑｅ１として定める。
【００５９】
そして、開始流量Ｑｓ１と終了流量Ｑｅ１の差を増加流量ΔＱｕｐとして算出し、この増加流量ΔＱｕｐを予め登録した判定用のしきい値Ｑｓｓ１と比較して判別を行う。ここで、ΔＱｕｐ≧Ｑｓｓ１であれば、器具の起動事象であると判断でき、ΔＱｕｐ＜Ｑｓｓ１であれば、器具の制御増加事象であると判断することができる。
【００６０】
次に、本実施形態における停止事象と制御減少事象の判別手順について説明する。一般的に、器具の停止時の減少流量は動作制御による増加流量よりも大きいため、停止事象と制御減少事象とを区別するためのしきい値Ｑｓｓ１を設けて２つの事象を判別する。
【００６１】
器具判別部１０６は、起動事象と制御増加事象の判別と同様に、コードＮ２が「３」である期間の流量値の平均値を算出し、停止事象または制御減少事象の開始点の平均値を開始流量Ｑｓ２、終了点の平均値を終了流量Ｑｅ２として定める。
【００６２】
そして、開始流量Ｑｓ２と終了流量Ｑｅ２の差を減少流量ΔＱｄｎとして算出し、この減少流量ΔＱｄｎをしきい値Ｑｓｓ１と比較して判別を行う。ここで、ΔＱｄｎ≧Ｑｓｓ１であれば、器具の停止事象であると判断でき、ΔＱｄｎ＜Ｑｓｓ１であれば、器具の制御減少事象であると判断することができる。
【００６３】
また、起動事象を判断した増加流量ΔＱｕｐと減少流量ΔＱｄｎとがほぼ等しい場合（ΔＱｕｐ≒ΔＱｄｎ）は、停止事象であると判断することも可能である。また、計測した終了点の絶対流量が流量Ｑ≒０Ｌ／ｈであれば、減少流量ΔＱｄｎに関係なく停止事象と判断できる。
【００６４】
また、起動時の流量は使用する器具によって異なるため、起動判定や停止判定用のしきい値を器具に応じた異なる値として予め登録しておけば、増加流量ΔＱｕｐの判定結果によりどのような器具が起動したのかを特定することも可能になる。
【００６５】
このように第１の実施形態によれば、計測コード列の安定領域から流量が安定した安定状態を判別することによって、この判別結果を用いて安定状態からの流量増加による起動事象や流量減少による停止事象などを容易に判別することができ、複合動作時の２台目の器具の起動判別やその器具判別などを行うことが可能となる。これによって、複合動作に関する判別精度を向上できる。
【００６６】
（第２の実施形態）
第２の実施形態として、動作中の流量変動が大きい非安定系の器具が起動した後にその他の器具が起動した場合の動作例を示す。ここでは、非安定系の第１の器具Ｄが起動して動作している状態で、さらに他の非安定系の第２の器具Ｅが起動した場合の複合動作を例示する。この第２の実施形態では、２つのテーブルを持つ流量区分表を用いて、流量変動の状況に応じてテーブルを切り替えて用いて処理を行う例を示す。
【００６７】
ガス器具には、ガス流量をフィードバック制御等により比例的に制御するために比例弁を搭載しているものがある。例えば、ガス給湯器には比例弁が搭載され、リモコン等で設定される設定温度（例えば、４０℃）を目標に入水温度（例えば、１５℃）と水量（例えば、１２Ｌ／ｈ）から、比熱を１として必要な熱量を計算（（４０−１５）×１２×１×６０＝１８０００Kcal/h ）し、算出した熱量に応じた電圧或いは電流を比例弁に印加することで、比例弁の開度を制御して、ガス流量を調整している。そして、出湯温度を計測し、設定温度との差（偏差）を元に、フィードバック制御を行い、再度比例弁の開度に反映する。この制御は、一般的に１秒以下の速い周期（例えば、０．１秒）で演算を行い、比例弁の出力に反映するため、ガス流量としては変動の大きい過渡的に非安定な状態を経て安定するという特徴がある。本実施形態では、このような比例制御を行う器具を「非安定系の器具」と定義する。
【００６８】
図６は非安定系の器具の起動時の流量変化パターンを説明する図である。図６に示すように、例えば給湯器などの非安定系の器具では、器具使用の開始時の過渡期には、変動が大きい期間、変動が中規模の期間、変動が小さく安定した期間が存在する。このような非安定系の器具の場合、計測する流量データから流量変動の大小の期間を限定することは非常に困難であるが、安定している状態を判断するしきい値を切り替えるか、或いは、しきい値を別途設けて複数のしきい値によって並行して安定状態の判断を行うことは可能である。流量が安定している期間が多くなれば、計測コード列のコードＮ２の安定領域「３」の状態が増えるため、起動事象、停止事象、制御増加事象、制御減少事象の各事象を容易に判断することが可能となる。
【００６９】
そこで、第２の実施形態では、流量区分表保持部１１０の流量区分表１１０ａとして、図７に示すような安定領域の区分が異なる２つのテーブルを持つ流量区分表を用いて、差分値変換部１０４及びコード列生成部１０５において、非安定系の器具が起動した場合は安定領域が多くなるように流量区分が設定されたテーブルによって計測コード列を生成し、器具判別部１０６により複合動作時の器具の起動や停止を判別する。
【００７０】
図７において、（Ａ）は安定系の器具に対して用いる第１のテーブルであるテーブル１を示し、（Ｂ）は非安定系の器具に対して用いる第２のテーブルであるテーブル２を示している。図７（Ａ）のテーブル１は、図２に示した第１の実施形態と同様のもので、コードＮ２を生成するコードＮ１のしきい値を標準的な値にしたものであり、この例では、差分値｜ΔＱ（ｎ）｜≦２０Ｌ／ｈで安定領域となる。一方、図７（Ｂ）のテーブル２は、コードＮ２を生成するコードＮ１のしきい値を変更したもので、この例では、差分値｜ΔＱ（ｎ）｜≦３５０Ｌ／ｈで安定領域となる。このテーブル２を用いた場合は、安定領域「３」となる流量差分値の範囲が大きいため、テーブル１に比べて流量変動が多少大きくても、それなりの安定領域を設定することができる。このコードＮ２を生成するためのしきい値は、任意に設定することもでき、実際に使用されている器具の種別や流量変化の状況等に応じて、最適な値を設定することで、的確な判断が可能となる。
【００７１】
図８は第２の実施形態における流量のコード変換の一例を示す図、図９は図８の場合に対応する第２の実施形態における流量波形のグラフの一例を示す図である。この図８及び図９は、動作中の流量の変動が比較的大きい非安定系の器具Ｄ（例えば、給湯器）が起動した後に続いて、器具Ｄと同様に非安定系の器具Ｅ（例えば、給湯器）が起動した場合の流量データを示したものである。
【００７２】
図８には、第１の実施形態の図３と同様に、「流量値」「差分値」「コードＮ１」「コードＮ２」が示されている。図８では、コードＮ２としてコードＮ２ａ、コードＮ２ｂの２つを列挙しているが、左のコードＮ２ａが図７（Ａ）のテーブル１によるコード生成結果で、右のコードＮ２ｂが図７（Ｂ）のテーブル２によるコード生成結果である。この図８において、図７（Ｂ）のテーブル２によって生成したコードＮ２ｂの方が、安定領域「３」のコード数が多いことが分かる。また、コードＮ２が「３」となる安定領域における流量値に対して移動平均を施した値が「移動平均流量値」として示されている。
【００７３】
図９の流量波形のグラフは平均する前のグラフであり、図１０は流量値に対して移動平均を施した平均後の流量波形のグラフを示す図である。図９の平均前の流量値Ｑ（ｎ）において、流量が変動している区間Ａに対して、図１０の移動平均後の流量値Ｑａ（ｎ）では、平均化によって区間Ａの流量変動が緩和されていることが分かる。図１１は図１０における区間Ｂに関する拡大図である。このように流量値が漸次変化している場合は、安定領域全体の平均ではなく、移動平均を用いるのが適切である。流量値の移動平均を用いることによって、安定領域の終点（すなわち流量変化の開始点）などの流量値を的確に求めることができる。なお、流量変動の状況によっては、安定領域全体における流量の平均を用いてもよい。
【００７４】
次に、第２の実施形態における安定領域の判断等に係る実際の処理手順を以下に示す。器具が起動してガス流量が発生すると、超音波流量計１０１で計測される流量は、図８の流量値、図９のグラフで示されるように、流量Ｑ（ｎ）＝０から流量Ｑ（ｎ）≠０となり、器具によるガス使用量に応じて流量が変化する。このとき、超音波流量計１０１による流量の計測と同時に、差分演算部１０３によって差分値が演算され、差分値変換部１０４によって１６区分のコードＮ１、４区分のコードＮ２への変換が行われる。そして、コード列生成部１０５により、変換の結果得られた区分コードから、図８に示すコードＮ１、コードＮ２の時系列の集合に相当する計測コード列が生成される。
【００７５】
このとき、差分値変換部１０４及びコード列生成部１０５は、図７（Ａ）のテーブル１と図７（Ｂ）のテーブル２とを用いて、それぞれのテーブルによるコードＮ２ａ、コードＮ２ｂを並行して生成する。そして、器具判別部１０６は、各テーブルによるコードＮ２の停止領域「０」または安定領域「３」を監視して、第１の実施形態と同様に、器具の起動、停止、動作制御を判断する。
【００７６】
ここで、２つのテーブルによるコードＮ２の処理手順について説明する。器具判別部１０６は、まず図７（Ａ）のテーブル１で生成したコードＮ２ａを優先して判断し、安定領域「３」の連続発生数（例えば、３回連続）を監視する。テーブル１で生成したコードＮ２ａにおいて安定領域が検出できない場合、図７（Ｂ）のテーブル２で生成したコードＮ２ｂを用いて安定領域「３」の連続発生数（例えば、３回連続）を監視する。流量変動が比較的大きい非安定系の器具の場合は、テーブル２で生成したコードＮ２ｂを用いて安定領域を判断することになる。
【００７７】
そして、コードＮ２の安定領域「３」として、テーブル２で生成したコードＮ２ｂの安定領域「３」が発生している期間の流量の平均（例えば、移動平均）を求め、この平均後の安定領域の期間の終点の流量を、起動事象や制御増加事象などの各事象の開始流量として記憶する。
【００７８】
このようにテーブル２を用いた場合、コードＮ２ｂにおける安定領域「３」の発生が多くなるため、テーブル１によるコードＮ２ａでは安定状態を検出できない期間の流量データを含めて平均値を算出でき、比較的不安定な領域においても起動事象等を容易に検出することができる。
【００７９】
もし、テーブル１によるコードＮ２ａだけを監視すると、安定領域「３」から「３以外」に変化する変化点が多発して、器具の起動を誤検出する可能性もあるが、テーブル２によるコードＮ２ｂを並行して監視することで、変化点を最小限に抑えることができるため、目的の器具の起動事象のみを検出することが可能となる。
【００８０】
このように第２の実施形態によれば、複数のテーブルを用いて安定領域が多くなるような計測コード列を生成することによって、流量の変動が比較的大きい器具であっても安定状態を判別でき、この判別結果を用いて安定状態からの流量増加による起動事象などを判別することができる。したがって、非安定系の器具を使用する場合でも複合動作時の２台目の器具の起動判別やその器具判別などを行うことが可能となり、複合動作に関する判別精度を向上できる。
【００８１】
以上のような流量計測装置及び流量計測方法を実施するため、ガスメータ１００の器具判別部１０６や処理部１０８等には、流量計測方法の各ステップを実行させるプログラムが記憶されている。また、本発明の流量計測装置、流量計測方法、コンピュータに実行させるプログラムを用いた流体（ガス）の供給源も含む流体供給システムも本発明に含まれる。
【００８２】
なお、以上の説明は超音波流量計を用いた場合について説明したが、サンプリング信号を用いる他の瞬間式の流量計測装置でも、同様の効果が得られることは明白である。器具判別後の処理は説明を省略したが、ガスメータでは、登録器具ごとあるいは分類分けされたグループごとの積算流量の計測による器具別料金や、登録器具ごとあるいは分類分けされたグループごとに安全管理（保安機能）処理の器具別保安機能を設定することも可能であることは明白である。また、ガスメータとガス器具に無線機のような送受信手段を装備させることができれば、管理センター装置などの外部装置と通信を行って処理を行うこともでき、より器具判別の精度が向上することは明白である。さらに、ガスメータおよびガス器具で説明したが、工業用流量計や水道メータにおいても同様に、流量計測装置の下流側に接続された使用器具の特定や、そのグルーピングに使用することができる。
【００８３】
また、上述の実施形態では流体であるガスの流量の差分値をコード化の対象とした。しかしながら、本発明のコード化の対象は流量に限らず、流体の温度、圧力、質量など、広く流体の物理量を対象とすることができる。
【００８４】
以上、本発明の各種実施形態を説明したが、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００８５】
本発明は、流量に関する演算の簡略化及び器具判別精度の向上を図るとともに、複数器具の運転時においても使用器具を精度良く判別することが可能となる効果を有し、流体の流量の変化を捉えることにより、流体を使用している器具を判別する流量計測装置及び流量計測方法等として有用である。
【図面の簡単な説明】
【００８６】
【図１】本発明の実施形態に係る流量計測装置の構成を示すブロック図
【図２】第１の実施形態において用いる流量区分表の一例を示す図
【図３】第１の実施形態における流量のコード変換の一例を示す図
【図４】第１の実施形態における流量波形のグラフの一例を示す図
【図５】第１の実施形態における起動事象及び停止事象の判別手順を説明する図
【図６】非安定系の器具の起動時の流量変化パターンを説明する図
【図７】第２の実施形態において用いる流量区分表の一例を示す図
【図８】第２の実施形態における流量のコード変換の一例を示す図
【図９】第２の実施形態における流量波形のグラフの一例を示す図
【図１０】図９の流量値に対して移動平均を施した平均後の流量波形のグラフを示す図
【図１１】図１０における区間Ｂに関する拡大図
【図１２】従来のガスメータのブロック図
【符号の説明】
【００８７】
２０  ガス供給管
２１、２２、２３  器具
１００  ガスメータ
１０１  超音波流量計
１０２  流量情報記憶部
１０３  差分演算部
１０４  差分値変換部
１０５  コード列生成部
１０６  器具判別部
１０７  器具別特性情報保持部
１０８  処理部
１０９  遮断弁
１１０  流量区分表保持部
１１０ａ  流量区分表
【図１】
0004861943.tif 000002
【図２】
0004861943.tif 000003
【図３】
0004861943.tif 000004
【図４】
0004861943.tif 000005
【図５】
0004861943.tif 000006
【図６】
0004861943.tif 000007
【図７】
0004861943.tif 000008
【図８】
0004861943.tif 000009
【図９】
0004861943.tif 000010
【図１０】
0004861943.tif 000011
【図１１】
0004861943.tif 000012
【図１２】
0004861943.tif 000013